(57)【特許請求の範囲】
【請求項１】
発泡合成樹脂よりなる発泡成形体を製造するための金型であって、そのキャビティ内面に、該キャビティ内のガスを該キャビティの外部に排出するための排気孔が設けられた金型と、
該キャビティ内に、該排気孔を覆うように配置された通気性部材と、
該通気性部材の該排気孔側に、該排気孔と対向するように配置された非通気性部材とを有する成形用機器において、
該金型の該排気孔のうち、少なくともその軸心線方向の途中部から該キャビティ側の部分は、該キャビティ側ほど大径となるテーパ形状部となっていることを特徴とする成形用機器。
【請求項２】
請求項１において、
前記排気孔の軸心線に沿う断面内において、該排気孔の前記テーパ形状部の内周面と、前記キャビティ内面との交差角度は、３０〜６０°であることを特徴とする成形用機器。
【請求項３】
請求項１又は２において、前記テーパ形状部の前記キャビティと反対側の端部の内径は２〜６ｍｍであることを特徴とする成形用機器。
【請求項４】
請求項１ないし３のいずれか１項において、前記排気孔は、前記金型と別体に構成された排気孔形成部材に設けられており、
該排気孔形成部材が該金型に取り付けられることにより、該金型に該排気孔が設けられており、
該排気孔形成部材は、該金型に対し着脱可能に取り付けられていることを特徴とする成形用機器。
【発明の詳細な説明】
【技術分野】
【０００１】
本発明は、キャビティ内のガスを該キャビティの外部に排出するための排気孔が設けられた金型と、この金型のキャビティ内に、排気孔を覆うように配置された通気性部材と、該通気性部材の該排気孔側に、該排気孔と対向するように配置された非通気性部材とを有する成形用機器に関する。
【背景技術】
【０００２】
車両用シートを構成するシートパッドや、車両のドアの内装品等に、ポリウレタンフォーム等の発泡合成樹脂よりなる発泡成形体が用いられている。かかる発泡成形体の製造工程では、成形用金型のキャビティ内面に離型剤を塗布した後、該キャビティ内に、軟質ポリウレタンフォームを形成する発泡樹脂原料を所定量供給する。そして、金型を型締めし、発泡樹脂原料を発泡硬化させる。発泡樹脂原料は、膨張しながらキャビティ内に充満し、該キャビティに対応した形状に成形される。かかる過程において、キャビティ内に存在するエアや、発泡反応により発生した二酸化炭素等のガスがキャビティ外に十分に排出されない場合、成形体に欠肉やボイド等の不具合が発生することがある。
【０００３】
そこで、金型に排気孔を設けてキャビティ内のガスを排出することが行われている。しかし、単に排気孔を設けただけでは、キャビティ内に充満した発泡樹脂原料が排気孔からキャビティ外に流出する場合があり、原料ロスが生じると共に、排気孔の清掃作業が必要になるという問題があった。
【０００４】
特許文献１（特開２００６−１９２８３１号公報）には、排気孔を覆いうるように非通気性シートが取り付けられた、通気性板状スラブ又は不織布よりなる通気性部材を金型のキャビティ内に配設することが記載されている。この金型を用いた発泡成形工程においては、キャビティ内に発泡樹脂が充満するまでは、該キャビティ内のガスは、通気性部材を透過し、非通気性シートとキャビティ内面との間を通って排気孔から金型外に流出する。キャビティ内に発泡樹脂が充満してくると、発泡樹脂原料の発泡圧により通気性部材がキャビティ内面に押し付けられ、非通気性シートによって排気孔が閉塞されるようになる。これにより、発泡樹脂が排気孔に入り込むことが防止される。引用文献１では、排気孔は、その軸心線方向の全体にわたって（即ちキャビティ内面に開口した入口側から金型の外面に開放した出口側まで）内径が一定となっている。
【０００５】
特許文献１の図７〜１０の実施の形態では、排気孔の周囲のキャビティ内面に、該キャビティの内方へ突出する突部が設けられている。発泡成形時において、キャビティ内に充満してきた発泡樹脂により通気性部材がキャビティ内面に向かって押されると、該通気性部材は、非通気性シートを介してこの突部に当接する。このとき、該通気性部材が非通気性シートを介して突部に支持され、該非通気性シートとキャビティ内面との間に、排気孔に連通する隙間が残存した状態とすることにより、この隙間を介して排気孔からキャビティ内のガスをキャビティ外へ排出することができる。その後、発泡樹脂原料の発泡硬化が進行し、この発泡樹脂により通気性部材がさらにキャビティ内面に押し付けられると、突部が非通気性シートを介して該通気性部材に食い込み、非通気性シートがさらにキャビティ内面に接近して排気孔を閉塞するようになる。これにより、発泡樹脂が排気孔に入り込むことが防止される。
【先行技術文献】
【特許文献】
【０００６】
【特許文献１】特開２００６−１９２８３１号公報
【発明の概要】
【発明が解決しようとする課題】
【０００７】
引用文献１の発泡成形体の製造方法にあっては、通気性部材とキャビティ内面との間にガスが残っている状態でも、発泡樹脂の膨張に伴って非通気性シートがキャビティ内面に接触する可能性がある。
【０００８】
特許文献１の金型における排気孔形状では、非通気性シートがキャビティ内面の排気孔の周縁部に接触したときに、この排気孔の内周面とキャビティ内面とが交わる角縁部が非通気性シートに食い込み易い。そのため、非通気性シートがキャビティ内面に接触した後は、キャビティ内のガスがこれらの間を通って排気孔に流入しにくくなるおそれがある。
【０００９】
特許文献１の図７〜１０の実施の形態では、排気孔の周囲に突部を設けることにより、非通気性シートのキャビティ内面への接触を遅らせるようにしている。しかしながら、この突部は、排気孔の周囲に配置されているので、通気性部材のうち排気孔に重なる部分は、突部によって支持されない。そのため、仮に通気性部材が不織布のような柔軟な材質よりなる場合には、この通気性部材が非通気性部材を介して突部に当接したときに、該突部よりも排気孔側において非通気性部材をキャビティ内面から離隔させておくのが困難になるおそれがある。
【００１０】
また、特許文献１の図７〜１０の実施の形態では、発泡成形工程において、突部が非通気性部材を介して通気性部材に食い込むので、完成した発泡成形体の表面には、この突部に対応する凹部が存在する。そのため、発泡成形体の意匠性が低下するおそれがある。
【００１１】
本発明は、発泡成形時に、非通気性部材により排気孔への発泡樹脂の侵入を十分に防止することが可能であり、且つこの排気孔からキャビティ内のガスを十分にキャビティ外に排出することが可能であり、また発泡成形体の意匠性を良好なものとすることが可能な成形用機器を提供することを目的とする。
【課題を解決するための手段】
【００１２】
本発明（請求項１）の成形用機器は、発泡合成樹脂よりなる発泡成形体を製造するための金型であって、そのキャビティ内面に、該キャビティ内のガスを該キャビティの外部に排出するための排気孔が設けられた金型と、該キャビティ内に、該排気孔を覆うように配置された通気性部材と、該通気性部材の該排気孔側に、該排気孔と対向するように配置された非通気性部材とを有する成形用機器において、該金型の該排気孔のうち、少なくともその軸心線方向の途中部から該キャビティ側の部分は、該キャビティ側ほど大径となるテーパ形状部となっていることを特徴とするものである。
【００１３】
請求項２の成形用機器は、請求項１において、前記排気孔の軸心線に沿う断面内において、該排気孔の前記テーパ形状部の内周面と、前記キャビティ内面との交差角度は、３０〜６０°であることを特徴とするものである。
【００１４】
請求項３の成形用機器は、請求項１又は２において、前記テーパ形状部の前記キャビティと反対側の端部の内径は２〜６ｍｍであることを特徴とするものである。
【００１５】
請求項４の成形用機器は、請求項１ないし３のいずれか１項において、前記排気孔は、前記金型と別体に構成された排気孔形成部材に設けられており、該排気孔形成部材が該金型に取り付けられることにより、該金型に該排気孔が設けられており、該排気孔形成部材は、該金型に対し着脱可能に取り付けられていることを特徴とするものである。
【発明の効果】
【００１７】
本発明（請求項１）の成形用機器にあっては、金型の排気孔は、その軸心線方向の途中部から金型のキャビティ側の部分が、該キャビティ側ほど大径となるテーパ形状部となっている。これにより、このテーパ形状部の内周面と、排気孔の周囲のキャビティ内面とは、比較的緩やかに交わったものとなっている。そのため、発泡成形工程において、非通気性部材が、キャビティ内で膨張途中の比較的押圧力の弱い状態の発泡樹脂に押されて排気孔の周縁部に接触しても、排気孔の周縁部（即ち排気孔のテーパ形状部の内周面と排気孔の周囲のキャビティ内面との角縁部）が非通気性部材に食い込みにくい。
【００１８】
これにより、仮に通気性部材とキャビティ内面との間にガスが残っている状態で非通気性部材が排気孔の周縁部に接触した場合でも、非通気性部材に排気孔の周縁部が食い込みにくいので、キャビティ内のガスがこれらの間を通って排気孔に比較的容易に流入することができる。その結果、キャビティ内のガスが十分にキャビティの外部に排出され、発泡成形体にボイド等の成形不良が生じることが十分に防止される。
【００１９】
その後、発泡樹脂の膨張が進行すると、この発泡樹脂によって非通気性部材が排気孔の周縁部に強く押し付けられるようになり、排気孔の周縁部が非通気性部材に食い込むようになる。これにより、発泡樹脂が非通気性部材と排気孔の周縁部との間を通って排気孔に入り込むことも十分に防止することができる。その結果、発泡樹脂の原料ロスが生じることをより確実に防止することができると共に、排気孔の清掃作業も容易化される。
【００２０】
また、本発明の成形用機器にあっては、金型のキャビティ内面に、非通気性部材が排気孔の周縁部に接触することを遅らせるための突部を設ける必要がない。そのため、完成した発泡成形体の表面に、この突部に対応した凹部が形成されることがなく、発泡成形体の意匠性を良好なものとすることができる。
【００２１】
請求項２の通り、排気孔の軸心線に沿う断面内において、排気孔のテーパ形状部の内周面と金型のキャビティ内面との交差角度は３０〜６０°であることが好ましい。このように構成することにより、キャビティ内で発泡樹脂が十分に膨張するまでは、非通気性部材が発泡樹脂に押されて排気孔の周縁部に接触しても、より確実に、排気孔の周縁部が過度に非通気性部材に食い込むことを防止することができる。また、発泡樹脂が十分に膨張した後は、排気孔の周縁部が十分に非通気性部材に食い込むようになり、より確実に、キャビティ内の発泡樹脂が排気孔に入り込むことを防止することができる。
【００２２】
請求項３の通り、排気孔のテーパ形状部のキャビティと反対側の端部の内径（即ち排気孔の最小内径）を２〜６ｍｍとすることにより、排気孔からキャビティ外へのガス排出量を十分に確保することができる。
【００２３】
請求項４の通り、金型の排気孔を、金型と別体に構成され、該金型に取り付けられた排気孔形成部材に設け、この排気孔形成部材を金型に対し着脱可能に取り付けることにより、排気孔形成部材を金型から取り外して排気孔の清掃を行ったり、交換したりすることができるので、金型のメンテナンスの容易化や、金型の維持コストの抑制を図ることができる。
【００２４】
本発明（請求項１〜４）の成形用機器を用いた発泡成形体の製造方法にあっては、上記の通り、発泡成形時に排気孔からキャビティ内のガスを十分にキャビティ外に排出することが可能であり、且つこの排気孔にキャビティ内の発泡樹脂が侵入することをより確実に防止することが可能である。また、この方法により製造された発泡成形体は、意匠性が良好である。
【００２５】
本発明の成形用機器を用いた発泡成形体の製造方法では、通気性部材の排気孔側に、該排気孔と対向するように非通気性部材を配置しているので、発泡成形工程において、キャビティ内のガスが通気性部材を透過して排気孔から流出するのに伴って発泡樹脂が通気性部材に含浸することを効果的に防止することができる。これにより、通気性部材に発泡樹脂が含浸することによって発泡成形体の使用時に生じる擦れ音の防止や、発泡成形体の軽量化等の作用効果が奏される。
【００２６】
ホルムアルデヒドやトルエン、キシレンなどの揮発性有機化合物（ＶＯＣ）は、シックハウス症候群や化学物質過敏症を引き起こす原因になることから、建物や車両等の室内に使用される各種資材には、これらの化合物を極力放散しないことが求められている。この要求に応えるために、非通気性部材を粘着剤又は接着剤により通気性部材に貼着する場合、この粘着剤又は接着剤として、有機溶剤を含有していないもの、又は、該粘着剤又は接着剤中の有機溶剤の含有率が０．５重量％以下であるものを用いることが好ましい。このような粘着剤又は接着剤を用いることにより、この粘着剤又は接着剤から揮発性有機化合物が実質的に全く又は殆ど発生しないため、該非通気性部材付き通気性部材を用いて製造された発泡成形体からの揮発性有機化合物の放散をより確実に防止ないし抑制することができる。
【００２７】
なお、本発明において、粘着剤とは、通気性部材と非通気性部材の間に配置され、実質的に圧力が加えられるだけでこれらを接着するものをいい、接着剤とは、湿気硬化、溶剤の揮発、化学反応等を伴ってこれらを接着するものをいう。
【００２８】
非通気性部材は、パルプ、又は、パルプとＳＢＲ（スチレン・ブタジエンゴム）樹脂との積層体よりなることが好ましい。非通気性部材をこのような材質にて構成することにより、非通気性部材をより柔軟なものとすることができる。これにより、金型のキャビティ内に発泡樹脂が充満したときに、非通気性部材が容易に該キャビティの内面に沿う形状となるため、該キャビティ内で成形される発泡成形体の外形精度、及び、非通気性部材による金型の排気孔の閉鎖性を良好なものとすることができる。
【００２９】
非通気性部材は、通気性部材の排気孔側の面に沿って延在するシート状のものであり、厚さが０．０５〜０．２ｍｍであり、ＪＩＳ−Ｚ−０２３７により規定される引張強度及び伸び率が、それぞれ３０〜９０Ｎ／１５ｍｍ、１〜１０％であることが好ましい。非通気性部材をこのようなものとすることにより、非通気性部材は、よりキャビティの内面形状に対する追従性に優れたものとなると共に、該キャビティ内の発泡樹脂からの押圧力に抗してしっかりと金型の排気孔の閉鎖状態を維持することができるので、発泡成形体の外形精度、及び、該非通気性部材による金型の排気孔の閉鎖性を一層良好なものとすることができる。
【００３０】
本発明の成形用機器は、シートパッドの製造に用いるのに好適である。
【図面の簡単な説明】
【００３１】
【図１】第１の実施の形態に係る成形用機器の断面図である。
【図２】図１の成形用機器の金型に設けられた排気孔形成部材の構成図である。
【図３】図１のIII部分の拡大断面図である。
【図４】発泡成形工程途中時を示す図３と同様部分の断面図である。
【図５】発泡成形工程終了時を示す図３と同様部分の断面図である。
【図６】非通気性シート付き補強材の分解断面図である。
【図７】排気孔の別の構成例を示す断面図である。
【図８】排気孔の別の構成例を示す断面図である。
【図９】比較例に係る金型を用いた発泡成形工程途中時を示す断面図である。
【図１０】実施例及び比較例に係る金型を用いた発泡成形工程における該金型の内圧の変化を示したグラフである。
【発明を実施するための形態】
【００３２】
以下に、図面を参照して実施の形態について説明する。なお、以下の実施の形態は、シートパッドを製造するための成形用機器への本発明の適用例を示しているが、本発明は、シートパッド以外の発泡成形体を製造するための成形用機器にも適用可能である。
【００３３】
［第１の実施の形態］
第１図は、第１の実施の形態に係る成形用機器の断面図である。第２図（ａ）は、この成形用機器の金型に設けられた排気孔形成部材の斜視図である。第２図（ｂ）は、第２図（ａ）のＢ−Ｂ線に沿う断面図である。第３図は、第１図のIII部分の拡大断面図であり、発泡成形工程の途中時であって、非通気性部材が金型のキャビティ内面に接触する前の状態を示している。第４図は、発泡成形工程の途中時であって、非通気性部材が排気孔の周縁部に接触した状態を示す、第３図と同様部分の断面図である。第５図は、発泡成形工程の終了時を示す、第３図と同様部分の断面図である。第６図は、非通気性シート付き補強材の分解断面図である。
【００３４】
この実施の形態では、金型１は、車両用シートを構成するシートパッドを製造するためのものである。このシートパッドは、ポリウレタンフォーム等の発泡合成樹脂よりなる。即ち、このシートパッドは請求項１の発泡成形体に相当する。なお、この実施の形態では、該シートパッドは、車両用シートの腰掛部を構成するクッションパッドであるが、本発明は、車両用シートの背もたれ部を構成するバックパッドにも適用可能である。第１図は、この金型１によって成形されるシートパッド（クッションパッド）の使用時の前後方向（以下、単に前後方向という。）に沿う垂直断面を示している。
【００３５】
この実施の形態では、金型１は、第１図の通り、上型２及び下型３と、該上型２及び下型３によって囲まれたキャビティ４内のガスを該キャビティ４の外部に排出するための排気孔５等を備えている。なお、金型１は、さらに中子型（図示略）を有していてもよい。上型２と下型３とは、それらの周縁部において型合せされている。第１図の符号Ｐは、上型２と下型３とのパーティングラインを示している。発泡成形時には、このパーティングラインＰからもキャビティ４内のガスが排出される。
【００３６】
この実施の形態では、パーティングラインＰよりも上型２のキャビティ内面の中央側に排気孔５が設けられている。排気孔５は、上型２のキャビティ内面のうち、例えばパーティングラインＰよりも高い位置にある部分や、パーティングラインＰとの間に該パーティングラインＰよりも低くなっている箇所が存在する部分など、発泡成形時にパーティングラインＰからだけではガスが抜けにくい部分に配設されている。第１図では、シートパッドの前後方向に間隔をおいて配置された２個の排気孔５が図示されているが、排気孔５の個数や配置はこれに限定されない。なお、排気孔５は、必要に応じ、下型３等にも設けられてもよい。
【００３７】
この金型１のキャビティ４内において、シートパッドは、座面を下向きにして発泡成形される。即ち、下型３のキャビティ内面によりシートパッドの座面が成形され、上型２のキャビティ内面によりシートパッドの該座面と反対側面（以下、裏面という。）が成形される。シートパッドの裏面には、補強材６が設けられる。この実施の形態では、補強材６は、不織布等の通気性材料よりなる。即ち、この実施の形態では、該補強材６が請求項１の通気性部材に相当する。この補強材６は、シートパッドの発泡成形工程に先立ち、上型２のキャビティ内面に沿って配設され、ピンやマグネット等の固定具（図示略）により上型２に固定される。このとき、各排気孔５が補強材６によって覆われる。
【００３８】
この補強材６のうち、各排気孔５及びその周辺の上型２のキャビティ内面と重なる領域の該排気孔５側の面に、非通気性材料よりなる非通気性シート８が設けられている。即ち、この実施の形態では、該非通気性シート８が請求項１の非通気性部材に相当する。この非通気性シート８を構成する非通気性材料としては、粘着剤付ＰＥＴフィルム、粘着剤付紙テープ、粘着剤付ＰＰフィルム等が好適である。この非通気性シート８は、補強材６を、各排気孔５の中心から半径１５〜４０ｍｍ特に２０〜３０ｍｍの範囲にわたって覆う大きさであることが好ましい。
【００３９】
非通気性シート８は、金型１内で膨張した発泡樹脂に押されたときに、該金型１の内面に沿うように比較的柔軟に変形しうる材料よりなることが好ましい。例えば、非通気性シート８はパルプ、又は、パルプとＳＢＲ樹脂との積層体よりなることが好ましい。非通気性シート８をパルプ、又は、パルプとＳＢＲ樹脂との積層体よりなるものとした場合、この非通気性シート８は、柔軟性に優れると共に、取り扱い性（例えばテープのようにロール状に巻回された状態から所定長さ引き出してカットする際の作業のし易さ等）も良好であり、また、擦れ音がより発生しにくいものとなる。
【００４０】
この実施の形態では、非通気性シート８は、第６図の通り、シート状の基材８ａと、該基材８ａの一方（補強材６側）の面に形成された粘着剤層８ｂと、該基材８ａの他方（排気孔５側）の面に形成された被覆層８ｃとを有したものとなっている。なお、非通気性シート８の構成はこれに限定されない。例えば、この基材８ａがパルプよりなり、被覆層８ｃがＳＢＲ樹脂よりなるものであってもよい。このパルプよりなる基材８ａとしては、例えば和紙が好適である。なお、基材８ａ及び被覆層８ｃの材質はこれに限定されない。
【００４１】
基材８ａ自体は通気性を有したものであってもよく、この場合、基材８ａの表面を覆った粘着剤層８ｂ及び被覆層８ｃの少なくとも一方によって非通気性が付与されてもよい。粘着剤層８ｂによって非通気性が付与される場合、被覆層８ｃは省略されてもよい。基材８ａ自体が非通気性を有していてもよい。非通気性シート８が、テープのようにロール状に巻回された状態で出荷されるものである場合、被覆層８ｃは、粘着剤層８ｂからの剥離性を付与するために設けられたものであってもよい。粘着剤層８ｂの代わりに接着剤層が形成されてもよい。
【００４２】
非通気性シート８を補強材６に貼り付けるための粘着剤又は接着剤としては、有機溶剤を含有していないもの、又は、有機溶剤の含有率が０．５重量％以下のものを用いるのが好ましい。このような粘着剤又は接着剤としては、例えばホットメルト、エマルジョン粘着剤等が好適である。
【００４３】
この非通気性シート８の厚さは０．０５〜０．２０ｍｍ特に０．０５〜０．１５ｍｍであることが好ましい。この非通気性シート８の、ＪＩＳ−Ｚ−０２３７により規定される引張強度は、３０〜９０Ｎ／１５ｍｍ特に４０〜６０Ｎ／１５ｍｍであることが好ましい。この非通気性シート８の、ＪＩＳ−Ｚ−０２３７により規定される伸び率は、１〜１０％特に２〜５％であることが好ましい。
【００４４】
各排気孔５は、この実施の形態では、第２図（ｂ）及び第３〜５図の通り、その軸心線方向の途中部からキャビティ４側の部分が、該キャビティ４側ほど大径となるテーパ形状部５ａとなっており、該テーパ形状部５ａよりもキャビティ４の外部側の部分は、内径が略一定の等径部５ｂとなっている。
【００４５】
第２図（ｂ）の通り、このテーパ形状部５ａの内周面とキャビティ４の内面との交差角度θは１０〜８０°、特に３０〜６０°、さらに特に４０〜５０°、とりわけ４５°が好ましい。なお、この交差角度θが４５°から９０°に近づくほど、発泡成形工程において、非通気性シート８が膨張途中の発泡樹脂Ｕに押されて排気孔５の周縁部に接触したときに、該発泡樹脂Ｕからの押圧力がより小さくても、非通気性シート８に排気孔５の周縁部が食い込み易くなる。また、この交差角度θが４５°から０°に近づくほど、テーパ形状部５ａが浅くなるので、等径部５ｂのキャビティ４側の周縁部（テーパ形状部５ａの内周面と等径部５ｂの内周面との角縁部。以下、単に等径部５ｂの周縁部という。）に非通気性シート８が接触する可能性が高くなる。この場合、交差角度θが０°に近いほど、テーパ形状部５ａの内周面と等径部５ｂの内周面との交差角度が９０°に近くなるので、非通気性シート８が膨張途中の発泡樹脂Ｕに押されて等径部５ｂの周縁部に接触したときに、該発泡樹脂Ｕからの押圧力がより小さくても、非通気性シート８に等径部５ｂの周縁部が食い込み易くなる。
【００４６】
金型１が一般的な車両用シートパッドの製造に使用される場合、テーパ形状部５ａのキャビティ４と反対側の端部の内径（排気孔５の最小内径（＝この実施の形態では等径部５ｂの内径））Ｄ１は、従来品の車両用シートパッド製造用金型の排気孔の内径と同等の２〜６ｍｍ特に４〜６ｍｍであることが好ましい。また、テーパ形状部５ａのキャビティ４側の端部の内径（排気孔５の最大内径）Ｄ２は６〜１２ｍｍ特に８〜１０ｍｍであることが好ましい。
【００４７】
第２図（ｂ）の通り、排気孔５の軸心線方向における等径部５ｂの長さＴ１は、排気孔５の周囲の上型２の厚さ（＝この実施の形態では後述の排気孔形成部材１０の軸心線方向の長さ）Ｔ２と、上記交差角度θ並びにテーパ形状部５ａのキャビティ４側及びキャビティ４と反対側の内径Ｄ１，Ｄ２との兼ね合いによって決定されるが、金型１が一般的な車両用シートパッドの製造に使用される場合には、この等径部５ｂの長さＴ１は５〜１０ｍｍ特に８〜１０ｍｍ程度とされることが好ましい。
【００４８】
なお、排気孔５の形状はこれに限定されない。例えば、排気孔５は、その軸心線方向の全体が、キャビティ４側ほど大径となるテーパ形状となっていてもよい。この実施の形態では、第２図（ｂ）及び第３〜５図の通り、排気孔５の軸心線方向に沿う断面内において、テーパ形状部５ａの内周面は、キャビティ４側に向かって一定の角度で拡開した直線的な斜面となっているが、排気孔５の内方に凸又は凹に湾曲した形状となっていてもよい。
【００４９】
この実施の形態では、各排気孔５は、それぞれ、上型２と別体に構成され、該上型２に取り付けられた排気孔形成部材１０に設けられている。第２図（ａ），（ｂ）の通り、この実施の形態では、排気孔形成部材１０は、略円筒形状のものであり、その中央の開口が排気孔５となっている。排気孔５は、排気孔形成部材１０をその軸心線方向に貫通している。排気孔形成部材１０の外周面には雄ねじ部１１が周設されている。第３〜５図の通り、上型２の排気孔形成位置には、この雄ねじ部１１が螺合する雌ねじ孔７が設けられており、この雌ねじ孔７に雄ねじ部１１が螺じ込まれることにより、排気孔形成部材１０が上型２に着脱可能に取り付けられている。
【００５０】
この実施の形態では、第３〜５図の通り、雌ねじ孔７は上型２を貫通しており、この雌ねじ孔７を介して排気孔形成部材１０のキャビティ４側の端面（以下、先端面という。）がキャビティ４内に臨んでいる。排気孔形成部材１０は、その先端面が雌ねじ孔７の周囲の上型２のキャビティ内面と略面一状となるように、該雌ねじ孔７に螺じ込まれている。
【００５１】
なお、排気孔形成部材１０の構成及び上型２への取付方法はこれに限定されない。排気孔形成部材１０は、ねじ止め以外の方法（例えば排気孔形成部材１０と上型２との弾性的な係合等）により上型２に取り付けられてもよい。排気孔形成部材１０は、上型２に対し着脱可能とされていなくてもよい。排気孔形成部材１０が省略され、排気孔５が上型２に直接的に形成されていてもよい。排気孔形成部材１０は、金型１と同一の材料により構成されたものであってもよく、金型１とは異なる材料により構成されたものであってもよい。
【００５２】
次に、この金型１を用いてシートパッドを製造する手順について説明する。
【００５３】
まず、上型２と下型３とを型開きし、該上型２のキャビティ内面に沿って補強材６を配置し、前記固定具により補強材６を該上型２に固定する。この際、補強材６に設けられた非通気性シート８を、各排気孔５及びその周辺の上型２のキャビティ内面に重なるように配置する（通気性部材及び非通気性部材配置工程）。
【００５４】
次に、下型３内に発泡合成樹脂原料を注入し、下型３と上型２とを型締めして該発泡合成樹脂原料を加熱・発泡させる（発泡成形工程）。この原料が発泡してなる発泡樹脂Ｕは、第１，３〜５図の通り、上型２のキャビティ内面（補強材６）に向かってキャビティ４内を充填していく。その途中、発泡樹脂Ｕが補強材６に接触し、補強材６を上方へ押して上型２のキャビティ内面に接近させる。これにより、シートパッドが成形されると共に、該シートパッドの裏面に補強材６が一体化される。
【００５５】
この発泡成形工程においては、補強材６が発泡樹脂Ｕによって押し上げられ、非通気性シート８が各排気孔５を閉塞するまでは、第３，４図の通り、キャビティ４内のガスは、補強材６を透過し、非通気性シート８と上型２のキャビティ内面との間を通って各排気孔５に流入し、各排気孔５を介してキャビティ４の外部に排出される。また、パーティングラインＰからもキャビティ４内のガスが該キャビティ４の外部に排出される。これにより、キャビティ４内のガスが十分にキャビティ４の外部に排出され、シートパッドにボイド等の成形不良が生じることが防止される。
【００５６】
その後、発泡樹脂Ｕが十分に膨張し、非通気性シート８が各排気孔５の周縁部に強く押し付けられるようになると、第５図の通り、各排気孔５が非通気性シート８によって閉塞される。これにより、発泡樹脂Ｕが各排気孔５に入り込むことが防止される。
【００５７】
発泡樹脂Ｕが硬化した後、型開きしてシートパッドを脱型する。その後、必要に応じ、シートパッドの表面の仕上げ処理を行うことにより、シートパッドが完成する。
【００５８】
この金型１により、以下の作用効果が奏される。
【００５９】
この金型１にあっては、補強材６のうち、各排気孔５及びその周辺の上型２のキャビティ内面と重なる領域の該排気孔５側の面に非通気性シート８が設けられているので、発泡成形工程において、キャビティ４内のガスが補強材６を透過して各排気孔５から流出するのに伴って発泡樹脂Ｕが補強材６に含浸することを効果的に防止することができる。これにより、補強材６に発泡樹脂Ｕが含浸することによりシートパッド使用時に生じる擦れ音の防止や、シートパッドの軽量化等の作用効果が奏される。
【００６０】
この金型１にあっては、各排気孔５は、その軸心線方向の途中部からキャビティ４側の部分が、該キャビティ４側ほど大径となるテーパ形状部５ａとなっている。これにより、このテーパ形状部５ａの内周面と、各排気孔５の周囲の上型２のキャビティ内面とは、比較的緩やかに交わったものとなっている。そのため、発泡成形工程において、非通気性シート８が、膨張途中の比較的押圧力の弱い状態の発泡樹脂Ｕに押されて各排気孔５の周縁部に接触しても、各排気孔５の周縁部（即ち各排気孔５のテーパ形状部５ａの内周面と各排気孔５の周囲の上型２のキャビティ内面との角縁部）が非通気性シート８に食い込みにくい。
【００６１】
これにより、仮に第４図の通り、補強材６と上型２のキャビティ内面との間にガスが残っている状態で非通気性シート８が各排気孔５の周縁部に接触した場合でも、非通気性シート８に各排気孔５の周縁部が食い込みにくいので、第４図の符号Ｇの通り、キャビティ４内のガスがこれらの間を通って各排気孔５に比較的容易に流入することができる。その結果、第５図の通り、キャビティ４内のガスが十分にキャビティ４の外部に排出され、シートパッドにボイド等の成形不良が生じることが十分に防止される。
【００６２】
その後、発泡樹脂Ｕの膨張が進行すると、この発泡樹脂Ｕによって非通気性シート８が各排気孔５の周縁部に強く押し付けられるようになり、各排気孔５の周縁部が非通気性シート８に食い込むようになる。これにより、発泡樹脂Ｕが非通気性シート８と各排気孔５の周縁部との間を通って各排気孔５に入り込むことも十分に防止することができる。その結果、発泡樹脂Ｕの原料ロスが生じることをより確実に防止することができると共に、各排気孔５の清掃作業も容易化される。
【００６３】
この実施の形態では、各排気孔５の軸心線に沿う断面内において、各排気孔５のテーパ形状部５ａの内周面と上型２のキャビティ内面との交差角度θは３０〜６０°となっている。これにより、発泡樹脂Ｕが十分に膨張するまでは、非通気性シート８が発泡樹脂Ｕに押されて各排気孔５の周縁部に接触しても、より確実に、各排気孔５の周縁部が過度に非通気性シート８に食い込むことを防止することができる。また、発泡樹脂Ｕが十分に膨張した後は、各排気孔５の周縁部が十分に非通気性シート８に食い込むようになり、より確実に、キャビティ４内の発泡樹脂Ｕが各排気孔５に入り込むことを防止することができる。
【００６４】
この実施の形態では、各排気孔５のテーパ形状部５ａのキャビティ４と反対側の端部の内径（即ち各排気孔５の最小内径）は２〜６ｍｍとなっているので、各排気孔５からキャビティ４外へのガス排出量を十分に確保することができる。
【００６５】
この金型１にあっては、上型２のキャビティ内面から、非通気性シート８が各排気孔５の周縁部に接触することを遅らせるための突部が突設されていない。そのため、完成したシートパッドの表面にこの突部に対応した凹部が形成されず、シートパッドの意匠性を良好なものとすることができる。
【００６６】
この実施の形態では、非通気性シート８は、パルプ、又は、パルプとＳＢＲ樹脂との積層体よりなり、柔軟性に優れているため、キャビティ４内に発泡樹脂Ｕが充満したときに、非通気性シート８が容易に該キャビティ４の内面に沿う形状となる。これにより、該キャビティ４内で成形されるシートパッドの外形精度、及び、非通気性シート８による各排気孔５の閉鎖性を良好なものとすることができる。
【００６７】
また、この実施の形態では、非通気性シート８は、補強材６の排気孔５側の面に沿って延在するシート状のものであり、厚さが０．０５〜０．２ｍｍであり、ＪＩＳ−Ｚ−０２３７により規定される引張強度及び伸び率が、それぞれ３０〜９０Ｎ／１５ｍｍ、１〜１０％であるため、非通気性シート８は、よりキャビティ４の内面形状に対する追従性に優れたものとなると共に、該キャビティ４内の発泡樹脂Ｕからの押圧力に抗してしっかりと各排気孔５の閉鎖状態を維持することができるので、シートパッドの外形精度、及び、非通気性シート８による各排気孔５の閉鎖性を一層良好なものとすることができる。
【００６８】
この実施の形態では、非通気性シート８を補強材６に貼り付けるための粘着剤又は接着剤として、有機溶剤を含有していないもの、又は、有機溶剤の含有率が０．５重量％以下のものを用いているので、この粘着剤又は接着剤から揮発性有機化合物が実質的に全く又は殆ど発生しない。これにより、シートパッドからの揮発性有機化合物の放散をより確実に防止ないし抑制することができる。
【００６９】
［第２の実施の形態］
第７図は、排気孔の別の構成例を示す断面図である。なお、第７図は、排気孔形成部材の第２図（ｂ）と同様部分における断面を示している。
【００７０】
この実施の形態における排気孔５Ａは、テーパ形状部５ａのキャビティ４と反対側に等径部５ｂが連なっておらず、その軸心線方向の全体が、キャビティ４側ほど大径となるテーパ形状となっている。この排気孔５Ａの各部の好適な寸法等は、第１の実施の形態における排気孔５と同様である。
【００７１】
この排気孔５Ａが設けられた排気孔形成部材１０Ａのその他の構成は、第１の実施の形態における排気孔形成部材１０と同様であり、第７図において第２図（ｂ）と同一符号は同一部分を示している。また、第７図においては、この排気孔形成部材１０Ａのみが図示されているが、この排気孔形成部材１０Ａも、第１の実施の形態における排気孔形成部材１０と同様に、金型１に取り付けられる。
【００７２】
この排気孔５Ａが設けられた第２の実施の形態に係る金型１にあっても、第１の実施の形態と同様の作用効果が奏される。
【００７３】
［第３の実施の形態］
第８図は、排気孔のさらに別の構成例を示す断面図である。なお、第８図も、排気孔形成部材の第２図（ｂ）と同様部分における断面を示している。
【００７４】
この実施の形態における排気孔５Ｂは、その軸心線方向に沿う断面内において、テーパ形状部５ａの内周面が、該排気孔５Ｂの内方に凸に湾曲した形状となっている。このように構成することにより、発泡成形工程において、非通気性シート８が、キャビティ４内で膨張途中の比較的押圧力の弱い状態の発泡樹脂Ｕに押されて排気孔５Ｂの周縁部に接触しても、排気孔５Ｂの周縁部が非通気性部材に対し、より食い込みにくいものとなる。この排気孔５Ｂの各部の好適な寸法等も、第１の実施の形態における排気孔５と同様である。
【００７５】
この排気孔５Ｂが設けられた排気孔形成部材１０Ｂのその他の構成も、第１の実施の形態における排気孔形成部材１０と同様であり、第８図において第２図（ｂ）と同一符号は同一部分を示している。また、第８図においても、この排気孔形成部材１０Ｂのみが図示されているが、この排気孔形成部材１０Ｂも、第１の実施の形態における排気孔形成部材１０と同様に、金型１に取り付けられる。
【００７６】
この排気孔５Ｂが設けられた第３の実施の形態に係る金型１により奏されるその他の作用効果は、第１の実施の形態と同様である。
【実施例】
【００７７】
［実施例１］
第１の実施の形態において、排気孔５のテーパ形状部５ａの内周面とキャビティ４の内面との交差角度θを４５°とし、テーパ形状部５ａのキャビティ４と反対側の端部の内径Ｄ１を６ｍｍとし、テーパ形状部５ａのキャビティ４側の端部の内径Ｄ２を１０ｍｍとし、等径部５ｂの長さＴ１を８ｍｍとし、排気孔形成部材１０の軸心線方向の長さＴ２を１０ｍｍとした金型１を作製し、この金型１を用いてシートパッドの製造を行った。
【００７８】
このシートパッドの補強材６としては、不織布よりなるものを用いた。非通気性シート８としては、パルプ（和紙）とＳＢＲ樹脂との積層体よりなるものを用いた。この非通気性シート８の大きさは５０×５０ｍｍ２、厚さは０．０９ｍｍであり、ＪＩＳ−Ｚ−０２３７により規定される引張強度は４４Ｎ／１５ｍｍ、同伸び率は３．０％であった。この非通気性シート８を補強材６に貼着するための粘着材又は接着剤としては、アクリル共重合合成樹脂よりなり、有機溶剤を含有していないものを用いた。
【００７９】
このシートパッドの発泡成形工程におけるキャビティ４内の圧力の経時変化を測定した。
【００８０】
［比較例１］
第９図は、比較例１に係る金型を用いた発泡成形工程途中時を示す断面図である。
【００８１】
比較例１では、上記の排気孔５が設けられた排気孔形成部材１０の代わりに、第９図の通り、キャビティ４の内部側から該キャビティ４の外部側まで内径Ｄ１’が略一定の排気孔５’が設けられた排気孔形成部材１０’を金型１に取り付けた。即ち、比較例１では、排気孔５’の内周面とキャビティ４の内面との交差角度は９０°である。この排気孔５’の内径Ｄ１’を１０ｍｍとし、排気孔形成部材１０’の軸心線方向の長さＴ２’を１０ｍｍとした。これ以外については実施例１と同様にして、この排気孔５’付き金型１を用いてシートパッドの製造を行い、発泡成形工程におけるキャビティ４内の圧力の経時変化を測定した。
【００８２】
この実施例１及び比較例１におけるキャビティ４内の圧力の経時変化の測定結果を第１０図に示す。
【００８３】
第１０図の通り、比較例１では、実施例１に比べて早期のうちに、キャビティ４内の圧力がピークを迎える。また、比較例１において製造されたシートパッドを観察したところ、このシートパッドの表面に、キャビティ４内にガスが残留したことにより生じた欠肉が発見された。これに対し、実施例１において製造されたシートパッドには、このような欠肉は生じていなかった。
【００８４】
このことから、比較例１では、発泡成形工程において、非通気性シート８が膨張途中の発泡樹脂Ｕに押されて排気孔５の周縁部に接触した段階で、排気孔５が非通気性シート８により閉塞され、キャビティ４内にガスが残留してしまったことがわかる。これに対し、実施例１では、発泡成形工程において、非通気性シート８が膨張途中の発泡樹脂Ｕに押されて排気孔５の周縁部に接触した段階では、排気孔５が非通気性シート８によって閉塞されず、キャビティ４内のガスが十分にキャビティ４外に排出されたことがわかる。
【００８５】
実施例１で製造されたシートパッドからの揮発性有機化合物（ＶＯＣ）の放散量を測定したところ、非通気性シート８を補強材６に貼着しなかった場合のＶＯＣの放散量と実質的な違いが見られなかった。このことから、非通気性シート８を補強材６に貼着するための粘着材又は接着剤として、有機溶剤を含有しないものを用いることにより、シートパッドからの揮発性有機化合物の放散をより確実に低減ないし抑制することが可能であることがわかる。
【００８６】
［前記交差角度θが３０〜６０°であることが特に好適であることの説明］
前記交差角度θを１５°（実施例２）、３０°（実施例３）、４５°（実施例４）、６０°（実施例５）、７５°（実施例６）とそれぞれ変更したこと以外は、実施例１と同様の金型１を作製し、この金型１を用いてシートパッドを製造した。具体的には、交差角度θがそれぞれ上記の角度となっている排気孔形成部材１０を複数個製作し、各例ごとに排気孔形成部材１０を金型１に付け替えてシートパッドを製造した。これらの実施例２〜６において、それぞれ、シートパッドを複数回製造し、各発泡成形工程におけるキャビティ４内の圧力の経時変化を実施例１と同様に測定すると共に、製造されたシートパッドの表面の欠肉の有無を調べた。
【００８７】
このときの試行においては、θ＝１５°のとき及びθ＝７５°のときには、θ＝３０，４５，６０°のときに比べて、各発泡成形工程におけるキャビティ４内の圧力値のバラ付きが若干大きくなったが、表面に欠肉が生じたシートパッドの個数は、全体の半数に抑えられた。θ＝３０，４５，６０°としたときには、各発泡成形工程におけるキャビティ４内の圧力値のバラ付きは小さかった。また、θ＝３０°としたときには、表面に欠肉が生じたシートパッドの個数は全体の１／３にまで減少し、θ＝６０°としたときには、表面に欠肉が生じたシートパッドの個数は全体の１／４に減少した。さらに、θ＝４５°としたときには、表面に欠肉が生じたシートパッドは実質的に全く製造されなかった。
【００８８】
以上の結果から、交差角度θを特に好ましくは３０〜６０°、さらに好ましくは４０〜５０°、とりわけ好ましくは４５°とすることにより、外形精度の高いシートパッドを歩留まり良く製造することが可能であることがわかる。
【００８９】
上記の各実施の形態はいずれも本発明の一例であり、本発明は図示以外の構成をもとりうる。
【００９０】
例えば、上記の各実施の形態は、シートパッドへの本発明の適用例を示しているが、本発明は、シートパッド以外の発泡成形体にも適用可能である。
【符号の説明】
【００９１】
１  金型
２  上型
３  下型
４  キャビティ
５，５’，５Ａ，５Ｂ  排気孔
６  補強材（通気性部材）
７  雌ねじ孔
８  非通気性シート
１０，１０Ａ，１０Ｂ，１０’  排気孔形成部材
１１  雄ねじ部
【要約】
【課題】発泡成形時に、非通気性部材により排気孔への発泡樹脂の侵入をより確実に防止することが可能であり、且つこの排気孔からキャビティ内のガスを十分にキャビティ外に排出することが可能であり、また発泡成形体の意匠性を良好なものとすることが可能な金型及び成形用機器を提供する。
【解決手段】金型１のキャビティ４の内面に、該キャビティ４内のガスを該キャビティ４の外部に排出するための排気孔５が設けられている。金型１のキャビティ４内に、排気孔５を覆うように通気性部材６が配置され、且つ該通気性部材６の該排気孔５側に、該排気孔５と対向するように非通気性部材８が配置されている。排気孔５のうち、少なくともその軸心線方向の途中部からキャビティ４側の部分は、該キャビティ４側ほど大径となるテーパ形状部５ａとなっている。
【選択図】図４【図１】
0005146615.tif 000002
【図２】
0005146615.tif 000003
【図３】
0005146615.tif 000004
【図４】
0005146615.tif 000005
【図５】
0005146615.tif 000006
【図６】
0005146615.tif 000007
【図７】
0005146615.tif 000008
【図８】
0005146615.tif 000009
【図９】
0005146615.tif 000010
【図１０】
0005146615.tif 000011